(57)【要約】      （修正有）【課題】運転中等において、入力操作をしている手元を見ないで入力操作が行える入力装置等を提供する。【解決手段】操作対象を操作するための入力装置において、操作対象を操作するための操作項目の表示Ｓを表示部に表示させ（Ｓ１）、ユーザからの入力を受け付ける入力部が表示部と別体であって、当該入力部の入力面が接触された接触の位置情報を取得し（Ｓ３）、接触の位置情報から、入力面に対する接触を接触パターンに分類し（Ｓ４）、接触パターンに応じて操作項目を選択する（Ｓ５）。【選択図】図４
2013186860.tif 000002
【特許請求の範囲】
【請求項１】
操作対象を操作するための入力装置において、
前記操作対象を操作するための操作項目の表示を表示部に表示させる操作項目表示手段と、
ユーザからの入力を受け付ける入力部が前記表示部と別体であって、当該入力部の入力面が接触された接触の位置情報を取得する位置情報取得手段と、
前記接触の位置情報から、前記入力面に対する接触を接触パターンに分類する分類手段と、
前記接触パターンに応じて、前記操作項目を選択する操作項目選択手段と、
を備え、
前記操作項目の表示が、前記接触パターンに対応する表示を有することを特徴とする入力装置。
【請求項２】
請求項１に記載の入力装置において、
前記操作項目表示手段が、前記接触パターンに対応する記号を表示させることを特徴とする入力装置。
【請求項３】
請求項１または請求項２に記載の入力装置において、
前記分類手段が、前記接触パターンから前記入力面に対するユーザの指の接触の数を算出し、当該算出した接触の数により前記接触パターンを分類し、
前記操作項目選択手段が、前記接触の数に応じて、前記操作項目を選択することを特徴とする入力装置。
【請求項４】
請求項１から請求項３のいずれか１項に記載の入力装置において、
前記接触の位置情報の時間経緯に応じて、操作項目の選択を確定する選択確定手段を更に備えたことを特徴とする入力装置。
【請求項５】
請求項１から請求項４のいずれか１項に記載の入力装置において、
前記分類に応じて、前記操作項目を他の操作項目に変更する操作項目変更手段を更に備えたことを特徴とする入力装置。
【請求項６】
請求項１から請求項５のいずれか１項に記載の入力装置において、
前記入力装置が移動体に取り付けられたことを特徴とする入力装置。
【請求項７】
操作対象を操作するための入力装置の入力方法において、
前記操作対象を操作するための操作項目の表示を表示部に表示させる操作項目表示ステップと、
ユーザからの入力を受け付ける入力部が前記表示部と別体であって、当該入力部の入力面が接触された接触の位置情報を取得する位置情報取得ステップと、
前記接触の位置情報から、前記入力面に対する接触を接触パターンに分類する分類ステップと、
前記接触パターンに応じて、前記操作項目を選択する操作項目選択ステップと、
を含み、
前記操作項目の表示が、前記接触パターンに対応する表示を有することを特徴とする入力装置の入力方法。
【請求項８】
コンピュータを、請求項１から請求項６のいずれか１項に記載の入力装置として機能させることを特徴とする入力装置用プログラム。
【請求項９】
請求項８に記載の入力装置用プログラムが前記コンピュータにより読取可能に記録されていることを特徴とする記録媒体。
【発明の詳細な説明】
【技術分野】
【０００１】
本願は、入力装置、入力装置の設定方法、入力装置用プログラム、および、記録媒体の技術分野に属する。より詳細には、ユーザからの操作の入力を受け付ける入力装置、入力装置の設定方法、入力装置用プログラム、および、記録媒体の技術分野に属する。
【背景技術】
【０００２】
移動体の一例の車両に搭載された電子機器等を操作するための入力装置が開発されている。例えば下記特許文献１には、タッチパッドに操作入力された絶対座標情報に基づいて、ディスプレイのカーソルを絶対座標情報に対応する位置に表示する自動車用入出力装置が開示されている。
【先行技術文献】
【特許文献】
【０００３】
【特許文献１】特開２０１０−６１２２４号公報
【発明の概要】
【発明が解決しようとする課題】
【０００４】
しかしながら、上記特許文献１に記載されている技術では、運転中、手元のタッチパッドを見ながら操作する必要があった。さらに、ディスプレイのカーソルを見ながら、タッチパッド上で指を滑らせカーソルを移動させ、ディスプレイ上の目標物に合わせる必要があった。
【０００５】
そこで本願は、上記の各問題点に鑑みて為されたもので、その課題の一例は、例えば、運転中等において、入力操作をしている手元を見ないで入力操作が行える入力装置等を提供することにある。
【課題を解決するための手段】
【０００６】
上記課題を解決するため、請求項１に記載の発明は、操作対象を操作するための入力装置において、前記操作対象を操作するための操作項目の表示を表示部に表示させる操作項目表示手段と、ユーザからの入力を受け付ける入力部が前記表示部と別体であって、当該入力部の入力面が接触された接触の位置情報を取得する位置情報取得手段と、前記接触の位置情報から、前記入力面に対する接触を接触パターンに分類する分類手段と、前記接触パターンに応じて、前記操作項目を選択する操作項目選択手段と、を備え、前記操作項目の表示が前記接触パターンに対応する表示を有することを特徴とする。
【０００７】
また請求項７に記載の発明は、操作対象を操作するための入力装置の入力方法において、前記操作対象を操作するための操作項目の表示を表示部に表示させる操作項目表示ステップと、ユーザからの入力を受け付ける入力部が前記表示部と別体であって、当該入力部の入力面が接触された接触の位置情報を取得する位置情報取得ステップと、前記接触の位置情報から、前記入力面に対する接触を接触パターンに分類する分類ステップと、前記接触パターンに応じて、前記操作項目を選択する操作項目選択ステップと、を含み、前記操作項目の表示が、前記接触パターンに対応する表示を有することを特徴とする。
【図面の簡単な説明】
【０００８】
【図１】実施形態に係る入力装置の概要構成の一例を示すブロック図である。
【図２】実施例に係る入力装置の概要構成の一例を示すブロック図である。
【図３】実施例に係る入力装置の取り付けの一例を示す模式図である。
【図４】実施例に係る入力装置における動作の一例を示すフローチャートである。
【図５】入力装置の入力部と操作項目の表示との一例を示す模式図である。
【図６】ユーザの指による入力部への接触の一例を示す模式図である。
【図７】ユーザの指による入力部への接触形状の一例を示す模式図である。
【図８】ユーザの指による入力部への接触形状の一例を示す模式図である。
【図９】ユーザの指による入力部への接触形状の一例を示す模式図である。
【図１０】ユーザの指による入力部への接触パターンの一例を示す模式図である。
【図１１】ユーザの指による入力部への接触パターンの一例を示す模式図である。
【図１２】実施例に係る入力装置における動作の変形例を示すフローチャートである。
【図１３】ユーザの指による入力部への入力確定の様子の一例を示す模式図である
【図１４】ユーザの指による入力部への接触パターンに対する操作項目の表示の変形例を示す模式図である。
【図１５】ユーザの指による入力部への接触パターンに対する操作項目の表示の変形例を示す模式図である。
【図１６】ユーザの指による入力部への接触パターンに対する操作項目の表示の変形例を示す模式図である。
【図１７】操作項目の表示の変形例を示す模式図である。
【図１８】接触パターンと操作項目の表示との変形例を示す模式図である。
【図１９】接触パターンの変形例を示す模式図である。
【図２０】接触パターンの変形例を示す模式図である。
【図２１】接触パターンの変形例を示す模式図である。
【図２２】接触パターンの変形例を示す模式図である。
【発明を実施するための形態】
【０００９】
本願を実施するための形態について、図１を用いて説明する。なお図１は、実施形態に係る入力装置の概要構成の一例を示すブロック図である。
【００１０】
図１に示すように、操作対象を操作するための入力装置１０は、操作項目表示手段１０ａと、位置情報取得手段１０ｂと、分類手段１０ｃと、操作項目選択手段１０ｄと、を備えて構成されている。ここで、移動体の一例として、車両、自動二輪車、航空機、船舶等が挙げられる。また操作対象の一例として、空調装置、オーディオ装置、カーナビゲーション装置、電話、インターネット閲覧用のブラウザ等が挙げられる。入力装置１０は、操作対象を操作するための操作入力を受け付ける。
【００１１】
この構成において、操作項目表示手段１０ａは、操作対象を操作するための操作項目の表示を表示部に表示させる。ここで、操作対象を操作するための操作項目の一例として、空調装置の温度設定の項目、オーディオ装置が再生する曲目、オーディオ装置の音量の項目、カーナビゲーション装置の地図の拡大、縮小、目的地の設定、インターネット閲覧用のブラウザ等を操作するため項目等が挙げられる。なお、表示部は、カーナビゲーション装置の表示部でもよく、入力装置１０は、表示部を有しなくてもよい。
【００１２】
位置情報取得手段１０ｂは、ユーザからの入力を受け付ける入力部が表示部と別体であって、当該入力部の入力面が接触された接触の位置情報を取得する。この入力装置１０の入力部の一例として、タッチパネル、タッチパッド等が挙げられる。また、位置情報の一例として、ユーザの指が入力部に接触した接触点、接触面、ユーザの指が入力部をなぞった軌跡等の入力部における座標等の位置に関する情報が挙げられる。
【００１３】
分類手段１０ｃは、位置情報取得手段１０ｂが取得した接触の位置情報から、入力面に対する接触を接触パターンに分類する。ここで、接触パターンの一例として、入力部に触れた指の数、軌跡の形状、指の間隔を考慮した指の接触の並びのパターン等が挙げられる。なお、表示部に表示される操作項目の表示の一例として、各操作項目を示す画像（例えば、アイコン）、記号（例えば、文字、数字、図形記号、特殊記号等）、接触パターンに対応する表示等が挙げられる。また、接触パターンに対応する表示一例として、接触パターンに対応する記号、接触パターンの画像等が挙げられる。例えば、入力部に触れた指の数の場合、数字の記号、軌跡の形状の場合、軌跡の形状に類似した記号、指の間隔の場合、指の間隔に対応させた数字、文字等が挙げられる。接触パターンの画像の一例として、指が触れている状態の指の形等が挙げられる。
【００１４】
さらに、操作項目の表示が、接触パターンに対応する表示を有する。例えば、操作項目の表示の一例のアイコンのような操作項目の画像の中に、接触パターンに対応する表示の一例である記号が表示されたり、アイコンのような操作項目の画像の近傍に、接触パターンに対応する表示の一例である記号が表示されたりする。
【００１５】
操作項目選択手段１０ｄは、分類手段１０ｃにより分類された接触パターンに応じて操作項目を選択する。
【００１６】
以上説明したように、実施形態に係る入力装置１０の動作によれば、操作対象を操作するための操作項目の表示を表示部に表示させ、ユーザからの入力を受け付ける入力部が表示部と別体であって、当該入力部の入力面が接触された接触の位置情報を取得し、接触の位置情報から、入力面に対する接触を接触パターンに分類し、接触パターンに応じて、操作項目を選択することにより、指の接触の仕方で項目を指定できるので、運転中等において、入力操作をしている手元を見ないで入力操作が行える。
【実施例】
【００１７】
［１．入力装置の構成および機能概要］
次に、上述した実施形態に対応する具体的な実施例について、図２および図３を用いて説明する。なお以下に説明する実施例は、移動体の一例である車両等に取り付けられた入力装置に対して、本願を適用した場合の実施例である。
【００１８】
図２に示すように、実施形態に係る入力装置１０の一例としての入力装置１０は、ユーザからの入力を受け付ける入力部１１と、操作対象２０を操作するための操作信号を出力する操作信号出力部１２と、入力装置１０を制御するためのプログラム等を記憶する記憶部１３と、入力装置１０の外部との送受信を行う通信部１４と、入力装置１０を制御するシステム制御部１５と、入出力インターフェース部１６と、を備えている。そして、システム制御部１５と入出力インターフェース部１６とは、システムバス１７を介して接続されている。
【００１９】
入力装置１０は、操作信号出力部１２を介して、空調装置、オーディオ装置、カーナビゲーション装置、電話等の操作対象２０に接続されている。また、入力装置１０は、ユーザからの入力に関する情報を処理するコンピュータとして機能する。入力装置１０は、入力部１１で受け付けた操作入力に基づき、操作信号を操作対象２０に出力する。
【００２０】
入力部１１は、例えば、位置入力機能を有するタッチパッドである。位置入力機能の部分は、例えば、静電容量方式、抵抗膜方式等を実現する素子により構成される。そして、入力部１１は、位置入力機能により、ユーザの指等が接触または近接した入力部１１の面の位置情報を、所定の分解能の画素単位で取得する。なお、入力部１１は、表示機能と位置入力機能を有するタッチパネルでもよい。表示機能の部分は、例えば、液晶表示素子またはＥＬ（Electro Luminescence）素子等によって構成される。
【００２１】
操作信号出力部１２は、各操作対象２０とのインターフェースの機能を有する。操作信号出力部１２は、各操作対象２０と接続され、各操作対象２０に操作信号を出力する。
【００２２】
記憶部１３は、例えば、ハードディスクドライブ、シリコンディスクドライブ等からなる。記憶部１３は、入力部１１の設定状態を記憶したり、入力装置１０を制御するための各種プログラム等を記憶したりする。各種プログラムは、オペレーティングシステム、入力部１１から取得した位置情報を処理するプログラム等が挙げられる。なお、各種プログラムは、例えば、無線通信網等のネットワークを介して取得されるようにしてもよいし、ＣＤ（Compact Disc）、ＤＶＤ（Digital Versatile Disc）等の記録媒体に記録されてドライブ装置を介して読み込まれるようにしてもよい。
【００２３】
通信部１４は、操作対象２０や、車両の速度、車両の走行位置、車両のギアの状態等の走行に関連する走行関連情報を測定する機器等と通信を制御する。なお、入力装置１０は、通信部１４を介して、操作対象を含む機器に接続している。
【００２４】
システム制御部１５は、例えば、ＣＰＵ（Central Processing Unit）１５ａと、ＲＯＭ（Read Only Memory）１５ｂと、ＲＡＭ（Random Access Memory）１５ｃとを有する。システム制御部１５は、ＣＰＵ１５ａが、ＲＯＭ１５ｂや、ＲＡＭ１５ｃや、記憶部１３に記憶された各種プログラムを読み出して実行する。例えば、システム制御部１５は、入力部１１で受け付けた接触パターンを判定するプログラム等を実行する。
【００２５】
入出力インターフェース部１６は、入力部１１等の各部とシステム制御部１５とのインターフェースである。
【００２６】
また、入力装置１０は、入力部１１に指が触れた時間を測定するために内部時計（図示せず）を有する。
【００２７】
次に、図３に示すように、入力装置１０の入力部１１は、移動体の一例である車両のステアリング３０の表側に取り付けられている。
【００２８】
ステアリング３０は、ステアリングシャフト（図示せず）と接続されたステアリング本体部３１と、車両を運転するユーザが握る部分であり、リング形状を有するステアリングホイール部３２と、を有する。
【００２９】
入力部１１は、ステアリング本体部３１の表側において、中心部からステアリングホイール部３２側に取り付けられている。
【００３０】
次に、図３に示すように、車両には、操作対象２０の一例として、空調装置２１と、カーナビゲーション装置２２、オーディオ装置２３等が設置されている。また、操作対象２０の一例として、ユーザの携帯型無線電話機と近距離無線通信規格で接続し、ユーザが携帯型無線電話機を受けられるようにするための通信機器（図示せず）も設定されている。これらの操作対象２０は、入力装置１０の操作信号出力部１２および通信部１４と接続している。
【００３１】
空調装置２１は、コンプレッサー（図示せず）、車両内に空調された空気を送風する送風部（図示せず）を有し、車両の内部の温度、湿度を制御する。空調装置２１の吹き出し口２１ａが、車両内に設置されている。
【００３２】
カーナビゲーション装置２２は、タッチパネル等を含む表示部２２ａ（操作対象を操作するための操作項目の表示を表示する表示部の一例）と、加速度センサやジャイロセンサやＧＰＳ（Global Positioning System）センサ等の各種のセンサと、ＣＰＵ、ＲＡＭおよびＲＯＭ等を含む処理部、情報を記憶する記憶部と、入力装置１０等の他の機器との通信を行う通信部と、カーナビゲーション装置２２を操作するための操作部と、を有する。なお、カーナビゲーション装置２２は、インターネットに接続でき、表示部２２ａにおいて、インターネットの閲覧ができる構成を有していてもよい。
【００３３】
オーディオ装置２３は、ＣＤ、ＤＶＤ等の再生、ラジオやテレビジョンの電波を受信して、音をスピーカに出力し、映像をカーナビゲーション装置２２の表示部２２ａに出力する。
【００３４】
［２．入力装置の動作］
次に、実施例に係る入力装置の動作について図４から図１１を用い説明する。
図４は、実施例に係る入力装置１０における動作の一例を示すフローチャートである。図５は、入力部１１と操作項目の表示との一例を示す模式図である。図６は、ユーザの指による入力部１１への接触の一例を示す模式図である。図７から図９は、ユーザの指による入力部１１への接触形状の一例を示す模式図である。図１０および図１１は、ユーザの指による入力部１１への接触パターンの一例を示す模式図である。
【００３５】
図４に示すように、入力装置１０は、操作項目の表示を表示部２２ａに表示させる（ステップＳ１）。具体的には、図５に示すように、入力装置１０のシステム制御部１５は、カーナビゲーション装置２２の表示部２２ａに複数の操作項目の表示Ｓを表示させる。表示部２２ａには、４つの操作項目の表示Ｓが並んでいて、図中左側から、操作項目の表示Ｓには、”１”、”２”、”３”、”４”の数字が割り振られている。操作項目の表示Ｓには、接触パターンに対応する記号として、”１”、”２”、”３”、”４”の数字の記号が表示されている。このように、操作項目の表示が、接触パターンに対応する表示を有している。
【００３６】
なお、例えば、オーディオ装置において、曲を選択する場合、各操作項目の表示Ｓの中には、選択させるための曲目や、各曲に関連した画像が表示されていてもよい。また、図５において、入力部１１と、カーナビゲーション装置２２の表示部２２ａとは、操作項目と入力部１１に対する指の接触パターンとの対応関係が分かるように、便宜上並べて記載している。
【００３７】
このように、入力装置１０は、操作対象を操作するための操作項目の表示を表示部に表示させる操作項目表示手段の一例として機能する。また、入力装置１０は、接触パターンに対応する表示を表示させる操作項目表示手段の一例として機能する。また、入力装置１０は、接触パターンに対応する記号を表示させる操作項目表示手段の一例として機能する。
【００３８】
次に、入力装置１０は、入力部１１に接触したか否かを判定する（ステップＳ２）。具体的には、入力装置１０のシステム制御部１５は、入力部１１に入力があったか否かを判定する。  
【００３９】
そして、操作項目の表示Ｓが示す操作項目の中から所定の操作項目を選択するため、図６に示すように、ユーザは、入力部１１に、２本の指５を接触させる。
【００４０】
入力部１１に接触が無い場合（ステップＳ２；ＮＯ）、入力装置１０は、ステップＳ２の処理に戻る。
【００４１】
入力部１１に接触があった場合（ステップＳ２；ＹＥＳ）、入力装置１０は、入力部１１における接触の位置情報を取得する（ステップＳ３）。具体的には、入力装置１０のシステム制御部１５は、入力部１１のユーザの指が接触している部分の接触領域の各画素のｘ座標およびｙ座標の位置情報を取得する。例えば、図６に示すように、ユーザの人差し指および中指の２本の指５が、入力部１１に触れている場合、システム制御部１５は、図７に示すように、接触領域Ｃの各画素のｘ座標およびｙ座標の位置情報を取得する。
【００４２】
このように、入力装置１０は、ユーザからの入力を受け付ける入力部が表示部と別体であって、当該入力部の入力面が接触された接触の位置情報を取得する位置情報取得手段の一例として機能する。
【００４３】
次に、入力装置１０は、接触の位置情報から接触パターンに分類する（ステップＳ４）。具体的には、入力装置１０のシステム制御部１５は、接触領域Ｃの数（入力面に対するユーザの指の接触の数の一例）を算出し、接触領域Ｃの数を、接触パターンの分類番号とする。
【００４４】
例えば、システム制御部１５は画像処理により、入力部１１をスキャンして、接触している画素が存在したら、その画素の近接し、かつ、接触している別の画素があるかを探索する。システム制御部１５は、別の画素がある場合、画素同士を同じ領域とする。システム制御部１５は、さらに、この領域の画素に近接し、かつ、接触している別の画素が無くなるまでこの処理を繰り返し、接触領域の数のカウント数を増加させる。さらに、システム制御部１５は更に、別の所をスキャンして、上記の処理を繰り返し、接触領域の数を算出する。図７の場合は、分類番号が”２”となる。なお、接触領域のカウントは、上述の方法に限らず、他の画像処理の方法でもよい。
【００４５】
また、図８に示すように、指５を入力部１１に強く押し付け、接触領域が１つに連結し、くびれがある接触領域Ｃの場合、システム制御部１５は、まず、微分処理等の画像処理をして、接触領域Ｃの輪郭の情報を抽出、各輪郭の接触形状を算出する。そして、システム制御部１５は、接触領域Ｃの輪郭に対する曲率半径を算出し、曲率半径のグラフにピークまたはボトムが複数以上あるか等により、領域にくびれがあるとして接触領域Ｃが分離可能と判定し、接触領域のカウント数を増加させる。なお、システム制御部１５は、種々の画像認識の方法により、分離可能か否かを判定してもよい。
【００４６】
また、図９に示すように、別の手の２本の指で入力部１１に触れた場合も、接触パターンの一例として接触領域Ｃの数を２と算出し、接触パターンの分類番号”２”とする。
【００４７】
このように、入力装置１０は、接触の位置情報から、入力面に対する接触を接触パターンに分類する分類手段の一例として機能する。また、入力装置１０は、接触パターンから入力面に対するユーザの指の接触の数を算出し、当該算出した接触の数により接触パターンを分類する分類手段の一例として機能する。
【００４８】
次に、入力装置１０は、分類に応じて操作項目を選択する（ステップＳ５）。具体的には、入力装置１０のシステム制御部１５は、図１０に示すように、接触領域Ｃの数の分類番号”２”に応じて、表示部２２ａにおいて、”２”の数字が割り振られている操作項目の表示Ｓをハイライト表示にする。また、図１１に示すように、３本の指５が入力部１１に触れた場合、システム制御部１５は、ステップＳ４において、接触領域の数を算出し、接触パターンの分類番号”３”となり、ステップＳ５において、表示部２２ａにおいて、”３”の数字が割り振られている操作項目の表示Ｓをハイライト表示にする。
【００４９】
このように、入力装置１０は、接触パターンに応じて、操作項目選択手段の一例として機能する。また、入力装置１０は、接触の数に応じて、操作項目を選択する操作項目選択手段の一例として機能する。
【００５０】
次に、入力装置１０は、操作項目を確定する（ステップＳ６）。具体的には、入力装置１０のシステム制御部１５は、所定時間経過後に操作項目を確定させる。例えば、入力装置１０は、所定時間、入力部１１に新たな入力がない場合、操作項目を確定させ、選択された操作項目に対応する曲の再生をオーディオ装置２３が行うように信号をオーディオ装置２３に送信する。
【００５１】
以上説明したように、実施例に係る動作によれば、操作対象２０を操作するための操作項目の表示Ｓを表示部２２ａに表示させ、ユーザからの入力を受け付ける入力部が表示部と別体であって、当該入力部１１の入力面が接触された接触の位置情報を取得し、接触の位置情報から、入力面に対する接触を接触パターンに分類し、接触パターンに応じて、操作項目を選択することにより、指の接触の仕方で操作項目を指定できるので、運転中等において、入力操作をしている手元を見ないで入力操作が行える。
【００５２】
また、指の接触パターンにより、操作項目の表示Ｓが示す操作項目を選択できるので、表示部２２ａを見ながら、カーソル等を操作項目の表示Ｓに合わせる必要がなく、簡便に入力操作が行える。また、ユーザが入力操作をしている手元を見なくても、簡便に入力操作が行える。さらに、ユーザが表示部２２ａの操作項目の表示Ｓが分かっている場合、表示部２２ａを見なくても、入力操作が行える。
【００５３】
また、入力装置１０が、接触パターンから入力面に対するユーザの指の接触の数を算出し、当該算出した接触の数により接触パターンを分類し、接触の数に応じて、操作項目を選択する場合、接触させる指の数により、簡便に操作項目を指定できる。
【００５４】
また、入力装置１０が、分類に応じて、操作項目を他の操作項目に変更する場合、多くの操作項目を提示することができる。
【００５５】
また、入力装置１０が移動体の一例の車両に取り付けられた場合、ユーザは車両内において、操作対象に対する簡便な入力操作が行える。
【００５６】
［３．  変形例］
（３．１  動作の変形例）
次に、動作の変形例について、図１２および図１３を用いて説明する。
図１２は、入力装置１０における動作の変形例を示すフローチャートである。図１３は、ユーザの指による入力部への入力確定の様子の一例を示す模式図である
【００５７】
図１２に示すように、入力装置１０は、ステップＳ１からステップＳ５のように、操作項目の表示Ｓを表示部２２ａに表示させ（ステップＳ１０）、入力部１１に接触したか否かを判定し（ステップＳ１１）、入力部１１における接触の位置情報を取得し（ステップＳ１２）、接触の位置情報から接触パターンに分類し（ステップＳ１３）、分類に応じて操作項目を選択する（ステップＳ１４）。
【００５８】
次に、入力装置１０は、接触の位置に変化があるか否かを判定する（ステップＳ１５）。例えば、図１３に示すように、入力部１１に接触させた指５をユーザがスライドさせた場合、接触の位置情報が所定方向にずれて変化するので、入力装置１０は、接触の位置に変化があったとする。このように、入力装置１０は、接触の位置情報の時間経緯を判定する。なお、接触の位置情報のずれが所定以上の場合、入力装置１０は、接触の位置に変化があったとしてもよい。また、ユーザが指を１回タップさせる場合、接触の位置情報が無くなるという変化をするので、入力装置１０は、接触の位置に変化があると判定してもよい。また、ユーザが指を２回タップさせる場合、一旦、接触の位置情報が無くなり、再び接触の位置情報が得られるという変化をするので、入力装置１０は、接触の位置に変化があると判定してもよい。
【００５９】
接触の位置に変化がない場合（ステップＳ１５；ＮＯ）、入力装置１０は、ステップＳ１５の処理に戻り、接触の位置に変化があるまでウェイトの状態になる。例えば、ユーザが指５を押し続けている場合である。なお、接触の位置情報のずれが所定以上の場合、入力装置１０は、接触の位置に変化があったとし、指５のタップの場合は、入力装置１０は、接触の位置に変化がないと判定するようにしてもよい。また、入力装置１０は、２回タップの場合は、接触の位置に変化があるとし、１回タップの場合、接触の位置に変化がないと判定するようにしてもよい。
【００６０】
接触の位置に変化がある場合（ステップＳ１５；ＹＥＳ）、入力装置１０は、操作項目を確定する（ステップＳ１６）。入力装置１０のシステム制御部１５は、操作項目を確定させ、選択された操作項目に対応する曲の再生をオーディオ装置２３が行うように信号をオーディオ装置２３に送信する。
【００６１】
このように、入力装置１０は、接触の位置情報の時間経緯に応じて、操作項目の選択を確定する選択確定手段の一例として機能する。
【００６２】
このように、入力装置１０が、接触の位置情報の時間経緯に応じて、操作項目の選択を確定する場合、操作項目を選択した後に、操作項目の確定ができるので、確実にかつ簡便に入力操作が行える。
【００６３】
（３．２  接触パターンに対する操作項目の変形例）
次に、接触パターンに対する操作項目の変形例について、図１４から図１７を用いて説明する。
図１４から図１６は、ユーザの指による入力部への接触パターンに対する操作項目の表示の変形例を示す模式図である。図１７は、操作項目の表示の変形例を示す模式図である。
【００６４】
図１４に示すように、４つの操作項目において、ユーザが５本の指５で入力部１１に接触し、分類番号が”５”の場合、入力装置１０は、次の４つの操作項目の表示Ｓを表示部２２ａに表示させるようにしてもよい。このように、表示部２２ａに表示されている操作項目の数以上の分類番号の場合、次のページの表示になり、入力装置１０は、他の操作項目を示すことができる。分類番号が”６”のように５以上の場合も、次の操作項目が示されるようにしてもよい。
【００６５】
このように、入力装置１０は、分類に応じて、操作項目を他の操作項目に変更する操作項目変更手段の一例として機能する。
【００６６】
図１４に示すように、表示部２２ａの操作項目の表示Ｓの表示が変わった後、図１０または図１１に示すように、ユーザが４本以下の指により、操作項目を選択する。
【００６７】
また、図１５に示すように、８つの操作項目において、ユーザが５本の指５で入力部１１に接触し、分類番号が”５”の場合、選択できる操作項目が、下の行の操作項目の表示Ｓにフォーカスが移動するようにしてもよい。
【００６８】
また、図１６に示すように、同じ番号の操作項目の表示Ｓが複数ある場合、ユーザが触れた指５の数により、分類番号が対応する複数の操作項目が選択されるようにしてもよい。
【００６９】
また、図１７に示すように、操作項目の表示Ｓに番号や記号を表示しないようにしてもよい。この場合、例えば、図中左側から、分類番号を”１”、”２”、”３”、”４”と割り当てておく。
【００７０】
（３．３  接触パターンの変形例）
次に、接触パターンの変形例について、図１８から図２２を用いて説明する。
図１８は、接触パターンと操作項目の表示との変形例を示す模式図である。図１９から図２３は、接触パターンの変形例を示す模式図である。
【００７１】
図１８に示すように、接触パターンの一例として、入力部１１に指５で描いた軌跡の図形でもよい。各操作項目には、”○”、”△”、”／”、”▽”等の図形（接触パターンに対応する表示の一例の図形の記号）を割り当て、入力装置１０は、操作項目の表示Ｓを表示部２２ａに表示させておく。また、操作項目の画像の近傍に、接触パターンに対応する表示の一例である図形の記号が表示されている。このように、操作項目の表示Ｓが、接触パターンに対応する表示を有している。
【００７２】
入力装置１０は、ステップＳ３において、ある時間間隔で、接触領域Ｃの位置情報を取得して、軌跡Ｔの位置情報を取得する。入力装置１０は、ステップＳ４において、どの図形に分類させるかをパターンマッチング等の画像処理により算出する。図１８に示すように、軌跡Ｔが円に近い場合、入力装置１０は、ステップＳ５において、分類”○”として、分類”○”に対応する操作項目を選択する。なお、図形の記号は、筆で描いたような図形のように、図形を示す画像でもよい。また、操作項目の表示の一例として、操作項目の画像の中に重ねて、接触パターンに対応する表示の一例の図形の記号が表示されるようにしてもよい。
【００７３】
なお、分類番号の場合、数字の軌跡を描くようにして、入力装置１０は、ステップＳ４において、その軌跡が、どの数字に分類させるかをパターンマッチング等の画像処理により算出してもよい。また、入力装置１０が、軌跡に対して、文字認識を行い、どの記号であるか判定してもよい。
【００７４】
次に、図１９から図２２に示すように、接触パターンの一例として、接触領域Ｃの並びのパターンでもよい。入力装置１０は、ステップＳ４において、接触領域Ｃ間の距離を求め、接触領域Ｃの配列の位置関係から、分類パターンを判定する。また、入力装置１０は、接触領域Ｃの並びのパターンをどの分類パターンに該当するかをパターンマッチング等の画像処理により算出してもよい。
【００７５】
図１９に示すように、接触領域Ｃ間の距離が所定以下で、分類パターン”○○○”と判定された場合、分類番号”３”として、対応する操作項目が選択される。
【００７６】
図２０に示すように、人差し指の接触領域Ｃが、他の接触領域より所定距離以上であって、分類パターン”○○  ○”と判定された場合、分類番号”５”として、対応する操作項目が選択される。
【００７７】
図２１に示すように、薬指の接触領域Ｃが、他の接触領域より所定距離以上であって、分類パターン”○  ○○”と判定された場合、分類番号”６”として、対応する操作項目が選択される。
【００７８】
図２２に示すように、人差し指および中指の接触領域Ｃと、薬指および小指の接触領域Ｃとが、所定距離以上であって、分類パターン”○○  ○○”と判定された場合、分類番号”８”として、対応する操作項目が選択される。
【００７９】
このように操作項目が多くても、ユーザは適切な操作項目を簡便に選択できる。
【００８０】
なお、操作項目の表示は、表示部２２ａに必ずしも表示させる必要はなく、例えば、オーディオの装置の音量操作において、接触する指の数が”１”の場合、音量を下げるという操作項目、接触する指の数が”２”以上の場合音量を上げるという操作項目のように予め対応付けをしておけば、表示部２２ａに操作項目の表示を表示させなくてもよい。また、操作項目の表示は、操作項目の画像が無く、接触パターンに対応する表示のみでもよい。さらに、操作項目の画像の代わりに、操作項目を示す文字でもよい。
【００８１】
また、入力装置１０を、カーナビゲーション装置、テレビジョン、ゲーム機等のリモートコントローラに適用してもよい。これらリモートコントローラに、入力部１１が設置される。
【符号の説明】
【００８２】
１０：入力装置
１０ａ：操作項目表示手段
１０ｂ：位置情報取得手段
１０ｃ：分類手段
１０ｄ：操作項目選択手段
１１：入力部
１５：システム制御部（操作項目表示手段、位置情報取得手段、分類手段、操作項目選択手段、選択確定手段、操作項目変更手段）
２０：操作対象
２１：空調装置（操作対象）
２２：カーナビゲーション装置（操作対象）
２２ａ：表示部
２３：オーディオ装置（操作対象）
Ｓ：操作項目の表示
Ｃ：接触領域
Ｔ：軌跡
【図１】
2013186860.tif 000003
【図２】
2013186860.tif 000004
【図３】
2013186860.tif 000005
【図４】
2013186860.tif 000006
【図５】
2013186860.tif 000007
【図６】
2013186860.tif 000008
【図７】
2013186860.tif 000009
【図８】
2013186860.tif 000010
【図９】
2013186860.tif 000011
【図１０】
2013186860.tif 000012
【図１１】
2013186860.tif 000013
【図１２】
2013186860.tif 000014
【図１３】
2013186860.tif 000015
【図１４】
2013186860.tif 000016
【図１５】
2013186860.tif 000017
【図１６】
2013186860.tif 000018
【図１７】
2013186860.tif 000019
【図１８】
2013186860.tif 000020
【図１９】
2013186860.tif 000021
【図２０】
2013186860.tif 000022
【図２１】
2013186860.tif 000023
【図２２】
2013186860.tif 000024